(57)【要約】      （修正有）【課題】仏壇の照明だけでなく、香炉皿の加熱源として使用できる斬新な仏壇用照明器具を提供する。【解決手段】仏壇本体の側板の内面に取り付けるための取付座に腕管を介して白熱電球を装着するためのソケットを設け、白熱電球を保護する耐熱、透光性の筒状のシェードをソケットを囲むように上方から差し入れて取り付けて、シェードの上端部分に香炉皿を載置できるようにしたことを特徴とする。【選択図】図２
0003152113.tif 000002
【実用新案登録請求の範囲】
【請求項１】
仏壇本体の側板の内面に取り付けるための取付座に腕管を介して白熱電球を装着するためのソケットを設け、白熱電球を保護する耐熱、透光性の筒状のシェードを取り付けてシェードの上端部分に香炉皿を載置できるようにしたことを特徴とする仏壇用照明器具。
【考案の詳細な説明】
【技術分野】
【０００１】  本考案は、香炉皿の加熱源としても使用できる仏壇用照明器具に関するものである。
【背景技術】
【０００２】  従来から仏壇用の灯明つまり仏壇用照明器具として安全性の面から火を使わない電気蝋燭が賞用されている。
【考案が解決しようとする課題】
【０００３】  然しながら、経机の上に載置される電気蝋燭にあっては、経机を仏壇から出し入れする際に倒れたり、地震や子供たちが触って倒れたりする心配があった。
【０００４】  そこで、特開２００５−６６３０２公報に記載されるような電気蝋燭用受台のような構造の照明器具が考案されたが、このような照明器具にあっては仏壇本体の側板の内面に蝶番を介して水平旋回可能に取り付けたものであって、単に照明のみを目的としただけのものであった。
【考案の目的】
【０００５】  本考案の目的は、仏壇の照明だけでなく、香炉皿の加熱源として使用できる斬新な仏壇用照明器具を提供することにある。
【課題を解決するための手段】
【０００６】  本考案の仏壇用照明器具は、仏壇本体の側板の内面に取り付けるための取付座に腕管を介して白熱電球を装着するためのソケットを設け、白熱電球を保護する耐熱、透光性の筒状のシェードを取り付けてシェードの上端部分に香炉皿を載置できるようにしたことを特徴とするものである。
【考案の作用】
【０００７】本考案の仏壇用照明器具では、仏壇本体の側板の内面に取り付けられるので、経机を仏壇から出し入れする際に倒れたり、地震や子供たちが触って倒れたりする心配が皆無となり、シェードの上端部分に香炉皿を載置できるので、香炉皿を別途に加熱するための電熱器等の加熱源を必要としない。
【考案の実施の態様】
【０００８】  本考案の実施の態様を図面について具体的に説明する。
【０００９】  図１は、本考案に係る照明器具を仏壇本体の側板の内面に取り付けた状態の正面図、図２は、本考案に係る照明器具の斜視図、図３は、同照明器具の一部切裁斜視図である。
【００１０】  １は、仏壇本体ａの側板ｂの内面に取り付けるための取付座であって、内部に電線が通る水平方向に延びる腕管２が固着されている。
【００１１】  ３は、白熱電球４を装着するためのソケットで、前記腕管２に固着されており、白熱電球４に腕管２を通る電線によって電源から給電されるようになっている。
【００１２】５は、前記ソケット３を囲むように上方から差し入れて取り付けられる多数の窓を開けた金属製、ガラス製、陶磁器製等の筒状のシェードであって、断面形状を実施例の円形状に限らず四角形、六角形、八角形等にしたものでもよいものである。
【００１３】  尚、シェード５を透明または半透明のガラス製にすれば窓を設けなくてもよいものである。
【００１４】  ６は、白熱電球４が直接見えないようにするための耐熱性の筒状のカバーフイルムで、着色フイルムを使用すれば、照明の雰囲気を変えることができるものであるが、必須のものではない。
【００１５】  ７は、前記シェード５の上端開放部に載置される香炉皿で、白熱電球４の熱によって香炉皿７に入れられた香料を気化させて香りを放散できるようにしてある。
【考案の効果】
【００１６】  以上述べた如く、本考案の仏壇用照明器具によれば、仏壇本体の側板の内面に取り付けるための取付座に腕管を介して白熱電球を装着するためのソケットを設け、白熱電球を保護する耐熱、透光性の筒状のシェードを取り付けてシェードの上端部分に香炉皿を載置できるようにしたものであるから、仏壇本体の側板の内面に取り付けられるので、経机を仏壇から出し入れする際に倒れたり、地震や子供たちが触って倒れたりする心配が皆無となり、シェードの上端部分に香炉皿を載置できるので、香炉皿を別途に加熱するための電熱器等の加熱源を必要としない斬新な仏壇用照明器具を提供できるものであり、ここで言う仏壇は厨子も範疇に入ることは勿論である。
【００１７】  また、シェードをガラス製、陶磁器製等にしたり、シェードの断面形状を実施例の円形状に限らず四角形、六角形、八角形等にしたり、シェード内に挿入されるカバーフイルムの色を選択することにより従来の仏壇用照明器具では奏し得なかった礼拝時における荘厳さを増すことができるようにもなるものである。
【図面の簡単な説明】
【００１８】
【図１】  本考案に係る照明器具を仏壇本体の側板の内面に取り付けた状態の正面図である。
【図２】  本考案に係る照明器具の斜視図である。
【図３】  同照明器具の一部切裁斜視図である。
【符号の説明】
【００１９】１    取付座
２    腕管
３    ソケット
４    白熱電球
５    シェード
６    カバーフイルム
７    香炉皿
【図１】
0003152113.tif 000003
【図２】
0003152113.tif 000004
【図３】
0003152113.tif 000005
【手続補正書】
【提出日】平成21年4月23日(2009.4.23)
【手続補正１】
【補正対象書類名】実用新案登録請求の範囲
【補正対象項目名】全文
【補正方法】変更
【補正の内容】
【実用新案登録請求の範囲】
【請求項１】
仏壇本体の側板の内面に取り付けるための取付座に腕管を介して白熱電球を装着するためのソケットを設け、白熱電球を保護する耐熱、透光性の筒状のシェードを同ソケットを囲むように上方から差し入れて取り付け、同シェードの上端部分に香炉皿を載置できるようにしたことを特徴とする仏壇用照明器具。
【手続補正２】
【補正対象書類名】明細書
【補正対象項目名】全文
【補正方法】変更
【補正の内容】
【考案の詳細な説明】
【技術分野】
【０００１】  本考案は、香炉皿の加熱源としても使用できる仏壇用照明器具に関するものである。
【背景技術】
【０００２】  従来から仏壇用の灯明つまり仏壇用照明器具として安全性の面から火を使わない電気蝋燭が賞用されている。
【考案が解決しようとする課題】
【０００３】  然しながら、経机の上に載置される電気蝋燭にあっては、経机を仏壇から出し入れする際に倒れたり、地震や子供たちが触って倒れたりする心配があった。
【０００４】  そこで、特開２００５−６６３０２公報に記載されるような電気蝋燭用受台のような構造の照明器具が考案されたが、このような照明器具にあっては仏壇本体の側板の内面に蝶番を介して水平旋回可能に取り付けたものであって、単に照明のみを目的としただけのものであった。
【考案の目的】
【０００５】  本考案の目的は、仏壇の照明だけでなく、香炉皿の加熱源として使用できる斬新な仏壇用照明器具を提供することにある。
【課題を解決するための手段】
【０００６】  本考案の仏壇用照明器具は、仏壇本体の側板の内面に取り付けるための取付座に腕管を介して白熱電球を装着するためのソケットを設け、白熱電球を保護する耐熱、透光性の筒状のシェードを同ソケットを囲むように上方から差し入れて取り付け、同シェードの上端部分に香炉皿を載置できるようにしたことを特徴とするものである。
【考案の作用】
【０００７】本発明の仏壇用照明器具では、仏壇本体の側板の内面に取り付けられるので、経机を仏壇から出し入れする際に倒れたり、地震や子供たちが触って倒れたりする心配が皆無となり、シェードの上端部分に香炉皿を載置できるので、香炉皿を別途に加熱するための電熱器等の加熱源を必要としない。
【考案の実施の態様】
【０００８】  本考案の実施の態様を図面について具体的に説明する。
【０００９】  図１は、本考案に係る照明器具を仏壇本体の側板の内面に取り付けた状態の正面図、図２は、本考案に係る照明器具の斜視図、図３は、同照明器具の一部切裁斜視図である。
【００１０】  １は、仏壇本体ａの側板ｂの内面に取り付けるための取付座であって、内部に電線が通る水平方向に延びる腕管２が固着されている。
【００１１】  ３は、白熱電球５を装着するためのソケットで、前記腕管２に固着されており、白熱電球５に腕管２を通る電線によって電源から給電されるようになっている。
【００１２】４は、前記ソケット３を囲むように上方から差し入れて取り付けられる多数の窓を開けた金属製、ガラス製、陶磁器製等の筒状のシェードであって、断面形状を実施例の円形状に限らず四角形、六角形、八角形等にしたものでもよいものである。
【００１３】  尚、シェード５を透明または半透明のガラス製にすれば窓を設けなくてもよいものである。
【００１４】  ６は、白熱電球５が直接見えないようにするための耐熱性の筒状のカバーフイルムで、着色フイルムを使用すれば、照明の雰囲気を変えることができるものであるが、必須のものではない。
【００１５】  ７は、前記シェード４の上端開放部に載置される香炉皿で、白熱電球５の熱によって香炉皿７に入れられた香料を気化させて香りを放散できるようにしてある。
【考案の効果】
【００１６】  以上述べた如く、本考案の仏壇用照明器具によれば、仏壇本体の側板の内面に取り付けるための取付座に腕管を介して白熱電球を装着するためのソケットを設け、白熱電球を保護する耐熱、透光性の筒状のシェードを同ソケットを囲むように上方から差し入れて取り付け、同シェードの上端部分に香炉皿を載置できるようにしたものであるから、仏壇本体の側板の内面に取り付けられるので、経机を仏壇から出し入れする際に倒れたり、地震や子供たちが触って倒れたりする心配が皆無となり、シェードの上端部分に香炉皿を載置できるので、香炉皿を別途に加熱するための電熱器等の加熱源を必要としない斬新な仏壇用照明器具を提供できるものであり、ここで言う仏壇は厨子も範疇に入ることは勿論である。
【００１７】  また、シェードをガラス製、陶磁器製等にしたり、シェードの断面形状を実施例の円形状に限らず四角形、六角形、八角形等にしたり、シェード内に挿入されるカバーフイルムの色を選択することにより従来の仏壇用照明器具では奏し得なかった礼拝時における荘厳さを増すことができるようにもなるものである。
【図面の簡単な説明】
【００１８】
【図１】  本考案に係る照明器具を仏壇本体の側板の内面に取り付けた状態の正面図である。
【図２】  本考案に係る照明器具の斜視図である。
【図３】  同照明器具の一部切裁斜視図である。
【符号の説明】
【００１９】１    取付座
２    腕管
３    ソケット
４    シェード
５    白熱電球
６    カバーフイルム
７    香炉皿